(57)【要約】      （修正有）【課題】放電灯の電極間距離が小さくなり過ぎることを抑制できる放電灯駆動装置を提供する。【解決手段】本発明の放電灯駆動装置において制御部は、電極間電圧が第１所定値よりも小さい場合、放電灯に交流電流が供給される第１期間と、放電灯に直流電流が供給される第２期間とが交互に繰り返される混合期間と、放電灯に直流電流が供給される第１直流期間および第１直流期間において放電灯に供給される直流電流の極性と反対の極性を有する直流電流が放電灯に供給される第２直流期間を交互に含み、第１直流期間の長さが第２直流期間の長さよりも大きい第３期間と、が設けられるように放電灯駆動部を制御し、第２直流期間の長さは、０．５ｍｓよりも小さく、第３期間における第１直流期間の長さの合計は、第２期間の長さよりも大きく、制御部は、電極間電圧が第１所定値よりも小さい場合、第３期間の長さを段階的に大きくすることを特徴とする。【選択図】図１４
2018073763.tif 000002
【特許請求の範囲】
【請求項１】
第１電極および第２電極を有する放電灯に駆動電流を供給する放電灯駆動部と、
前記放電灯駆動部を制御する制御部と、
前記放電灯の電極間電圧を検出する電圧検出部と、
を備え、
前記制御部は、前記電極間電圧が第１所定値よりも小さい場合、
前記放電灯に交流電流が供給される第１期間と、前記放電灯に直流電流が供給される第
２期間とが交互に繰り返される混合期間と、
前記放電灯に直流電流が供給される第１直流期間、および前記第１直流期間において前
記放電灯に供給される前記直流電流の極性と反対の極性を有する直流電流が前記放電灯に
供給される第２直流期間を交互に含み、前記第１直流期間の長さが前記第２直流期間の長
さよりも大きい第３期間と、
が設けられるように前記放電灯駆動部を制御し、
前記第２直流期間の長さは、０．５ｍｓよりも小さく、
前記第３期間における前記第１直流期間の長さの合計は、前記第２期間の長さよりも大
きく、
前記制御部は、前記電極間電圧が前記第１所定値よりも小さい場合、前記第３期間の長
さを段階的に大きくすることを特徴とする放電灯駆動装置。
【請求項２】
前記制御部は、前記電極間電圧が第１所定値以上の場合、前記第３期間が設けられない
ように前記放電灯駆動部を制御する、請求項１に記載の放電灯駆動装置。
【請求項３】
前記制御部は、前記電極間電圧が第１所定値以上の場合、前記混合期間と、前記第３期
間と、が設けられるように前記放電灯駆動部を制御し、
前記電極間電圧が前記第１所定値以上の場合における前記第３期間の長さは、第１長さ
であり、
前記制御部は、前記電極間電圧が前記第１所定値よりも小さい場合、前記第３期間の長
さを前記第１長さから段階的に大きくし、
前記制御部は、前記電極間電圧が前記第１所定値よりも小さい場合において前記第３期
間の長さを大きくした後に、前記電極間電圧が前記第１所定値以上となった場合、前記第
３期間の長さを前記第１長さに戻す、請求項１に記載の放電灯駆動装置。
【請求項４】
前記制御部は、前記電極間電圧が前記第１所定値よりも小さい場合であり、かつ、前記
放電灯の累積点灯時間が第２所定値以下の場合、前記第３期間の長さを段階的に大きくす
る、請求項１から３のいずれか一項に記載の放電灯駆動装置。
【請求項５】
前記制御部は、前記第１期間において前記放電灯に供給される交流電流の第１周波数よ
りも小さい第２周波数を有する交流電流が前記放電灯に供給される第４期間が設けられる
ように前記放電灯駆動部を制御し、
前記第３期間における前記第１直流期間の長さの合計は、前記第２周波数を有する交流
電流の半周期の長さよりも大きく、
前記電圧検出部は、前記第４期間において前記電極間電圧を検出する、請求項１から４
のいずれか一項に記載の放電灯駆動装置。
【請求項６】
前記混合期間は、複数設けられ、
前記第３期間と前記第４期間とは、時間的に隣り合う前記混合期間の間にそれぞれ設け
られ、かつ、前記第１期間の直後に設けられ、
前記制御部は、前記電極間電圧が前記第１所定値よりも小さい場合、
第１所定間隔ごとに、前記第３期間と前記第４期間とのうちのいずれか一方が設けられ
るように前記放電灯駆動部を制御し、かつ、前記第１所定間隔よりも大きい第２所定間隔
ごとに、前記第４期間が設けられるように前記放電灯駆動部を制御する、請求項５に記載
の放電灯駆動装置。
【請求項７】
前記制御部は、定常点灯駆動が実行される定常点灯期間において前記電極間電圧が前記
第１所定値よりも小さい場合、前記第３期間の長さを段階的に大きくする、請求項１から
６のいずれか一項に記載の放電灯駆動装置。
【請求項８】
光を射出する放電灯と、
請求項１から７のいずれか一項に記載の放電灯駆動装置と、
を備えることを特徴とする光源装置。
【請求項９】
請求項８に記載の光源装置と、
前記光源装置から射出される光を画像信号に応じて変調する光変調装置と、
前記光変調装置により変調された光を投射する投射光学系と、
を備えることを特徴とするプロジェクター。
【請求項１０】
第１電極および第２電極を有する放電灯に駆動電流を供給して、前記放電灯を駆動する
放電灯駆動方法であって、
前記電極間電圧が第１所定値よりも小さい場合、
前記放電灯に交流電流が供給される第１期間と、前記放電灯に直流電流が供給される第
２期間とが交互に繰り返される混合期間と、
前記放電灯に直流電流が供給される第１直流期間、および前記第１直流期間において前
記放電灯に供給される前記直流電流の極性と反対の極性を有する直流電流が前記放電灯に
供給される第２直流期間を交互に含む第３期間と、
を含む前記駆動電流を前記放電灯に供給し、
前記第２直流期間の長さは、０．５ｍｓよりも小さく、
前記第３期間における前記第１直流期間の長さの合計は、前記第２期間の長さよりも大
きく、
前記電極間電圧が前記第１所定値よりも小さい場合、前記第３期間の長さを段階的に大
きくすることを特徴とする放電灯駆動方法。
【発明の詳細な説明】
【技術分野】
【０００１】
本発明は、放電灯駆動装置、光源装置、プロジェクター、および放電灯駆動方法に関す
る。
【背景技術】
【０００２】
例えば、特許文献１には、高圧放電ランプに供給する交流電流の周波数を、第１の周波
数と、第１の周波数よりも大きい第２の周波数とに切り替え、第１の周波数の交流電流を
半周期の長さで高圧放電ランプに供給する構成が記載されている。
【先行技術文献】
【特許文献】
【０００３】
【特許文献１】特開２０１１−１２４１８４号公報
【発明の概要】
【発明が解決しようとする課題】
【０００４】
しかし、上記のような構成では、ランプ（放電灯）が比較的劣化していない初期状態に
おいては、駆動の実行中に電極の突起が成長して電極間距離が小さくなり過ぎる場合があ
る。この場合、ランプ電圧が過剰に低くなり、所望の駆動電力を放電灯に供給するために
制限電流値よりも大きい駆動電流をランプに供給する必要が生じる場合がある。これによ
り、結果として所望の駆動電力を得られず、ランプの輝度が低くなる場合がある。また、
電極間距離が小さくなり過ぎると、電極にランプ中に封入される水銀が付着して、対向す
る電極同士が短絡する水銀ブリッジが生じる場合もある。ランプに水銀ブリッジが発生し
た場合、電源をオンにしてもランプが点灯せず不点灯状態となってしまう。
【０００５】
本発明の一つの態様は、上記問題点に鑑みて成されたものであって、放電灯の電極間距
離が小さくなり過ぎることを抑制できる放電灯駆動装置、そのような放電灯駆動装置を備
える光源装置、およびそのような光源装置を備えるプロジェクターを提供することを目的
の一つとする。また、本発明の一つの態様は、放電灯の電極間距離が小さくなり過ぎるこ
とを抑制できる放電灯駆動方法を提供することを目的の一つとする。
【課題を解決するための手段】
【０００６】
本発明の放電灯駆動装置の一つの態様は、第１電極および第２電極を有する放電灯に駆
動電流を供給する放電灯駆動部と、前記放電灯駆動部を制御する制御部と、前記放電灯の
電極間電圧を検出する電圧検出部と、を備え、前記制御部は、前記電極間電圧が第１所定
値よりも小さい場合、前記放電灯に交流電流が供給される第１期間と、前記放電灯に直流
電流が供給される第２期間とが交互に繰り返される混合期間と、前記放電灯に直流電流が
供給される第１直流期間、および前記第１直流期間において前記放電灯に供給される前記
直流電流の極性と反対の極性を有する直流電流が前記放電灯に供給される第２直流期間を
交互に含み、前記第１直流期間の長さが前記第２直流期間の長さよりも大きい第３期間と
、が設けられるように前記放電灯駆動部を制御し、前記第２直流期間の長さは、０．５ｍ
ｓよりも小さく、前記第３期間における前記第１直流期間の長さの合計は、前記第２期間
の長さよりも大きく、前記制御部は、前記電極間電圧が前記第１所定値よりも小さい場合
、前記第３期間の長さを段階的に大きくすることを特徴とする。
【０００７】
本発明の放電灯駆動装置の一つの態様によれば、電極間電圧が第１所定値よりも小さい
場合、放電灯に交流電流が供給される第１期間および放電灯に直流電流が供給される第２
期間が交互に繰り返される混合期間に加えて、第３期間が設けられる。第３期間において
は、第１直流期間と第２直流期間とが設けられる。第１直流期間の長さは、第２直流期間
の長さよりも大きく、第２直流期間の長さは、０．５ｍｓ（ミリ秒）よりも小さい。その
ため、第３期間においては、第１直流期間において陽極となる側の電極を加熱することが
できる。
【０００８】
また、第１直流期間の合計長さは、第２期間の長さよりも大きい。そのため、第３期間
において加熱される電極に加えられる熱負荷は、第２期間において加熱される電極に加え
られる熱負荷よりも大きい。
【０００９】
このように、第３期間においては、第１期間あるいは第２期間に比べて、電極に加えら
れる熱負荷が大きくなる。そのため、電極の突起が成長して電極間距離が小さくなり、電
極間電圧が低下した場合に、第３期間によって電極の突起の溶融度合いを上昇させること
ができる。これにより、突起を溶融させて、放電灯の電極間距離が小さくなり過ぎること
を抑制できる。したがって、放電灯が比較的劣化していない初期状態において、放電灯の
輝度が低くなることを抑制でき、かつ、水銀ブリッジが生じることを抑制できる。
【００１０】
また、例えば、放電灯の電極には、ばらつきがある場合があり、同じ熱負荷が加えられ
る場合であっても、放電灯ごとに電極の突起の成長度合いが異なる場合がある。これによ
り、例えば、第３期間の長さが一定の場合、放電灯によっては、第３期間において突起を
十分に溶融できない場合がある。したがって、電極間距離が小さくなることを十分に抑制
できず、電極間電圧が第１所定値よりも小さい状態が維持される場合がある。このような
場合、放電灯の初期状態において維持される電極間電圧が放電灯によってばらつく場合が
ある。電極間電圧がばらつくと、放電灯が搭載されるプロジェクターの輝度がばらつく問
題がある。
【００１１】
これに対して、本発明の放電灯駆動装置の一つの態様によれば、電極間電圧が第１所定
値よりも小さい場合、制御部は、第３期間の長さを段階的に大きくする。そのため、電極
間電圧が第１所定値よりも小さい場合に、電極間電圧が第１所定値以上となるまで第３期
間によって第１電極に加えられる熱負荷を大きくしていくことができる。これにより、放
電灯にばらつきが生じる場合であっても、第３期間によって放電灯ごとに適切な熱負荷を
加えることができ、ランプ電圧を第１所定値に維持することが可能となる。
【００１２】
前記制御部は、前記電極間電圧が第１所定値以上の場合、前記第３期間が設けられない
ように前記放電灯駆動部を制御する構成としてもよい。
この構成によれば、電極間電圧が第１所定値以上の場合において、電極に加えられる熱
負荷を好適に小さくしやすい。したがって、放電灯の初期の電極間電圧が第１所定値以上
の場合に、初期の状態から電極間電圧が上昇していくことを抑制でき、電極間電圧を第１
所定値に維持することができる。
【００１３】
前記制御部は、前記電極間電圧が第１所定値以上の場合、前記混合期間と、前記第３期
間と、が設けられるように前記放電灯駆動部を制御し、前記電極間電圧が前記第１所定値
以上の場合における前記第３期間の長さは、第１長さであり、前記制御部は、前記電極間
電圧が前記第１所定値よりも小さい場合、前記第３期間の長さを前記第１長さから段階的
に大きくし、前記制御部は、前記電極間電圧が前記第１所定値よりも小さい場合において
前記第３期間の長さを大きくした後に、前記電極間電圧が前記第１所定値以上となった場
合、前記第３期間の長さを前記第１長さに戻す構成としてもよい。
この構成によれば、電極間電圧が第１所定値以上の場合と、電極間電圧が第１所定値よ
りも小さい場合と、の両方で、混合期間と第３期間とを含む同じ駆動パターンを用いるこ
とができる。そのため、制御を簡便にできる。
【００１４】
前記制御部は、前記電極間電圧が前記第１所定値よりも小さい場合であり、かつ、前記
放電灯の累積点灯時間が第２所定値以下の場合、前記第３期間の長さを段階的に大きくす
る構成としてもよい。
この構成によれば、放電灯の電極間距離が小さくなりやすい放電灯の初期状態において
、好適に電極間距離が小さくなり過ぎることを抑制できる。
【００１５】
前記制御部は、前記第１期間において前記放電灯に供給される交流電流の第１周波数よ
りも小さい第２周波数を有する交流電流が前記放電灯に供給される第４期間が設けられる
ように前記放電灯駆動部を制御し、前記第３期間における前記第１直流期間の長さの合計
は、前記第２周波数を有する交流電流の半周期の長さよりも大きく、前記電圧検出部は、
前記第４期間において前記電極間電圧を検出する構成としてもよい。
この構成によれば、電極間電圧を好適に検出しやすい。
【００１６】
前記混合期間は、複数設けられ、前記第３期間と前記第４期間とは、時間的に隣り合う
前記混合期間の間にそれぞれ設けられ、かつ、前記第１期間の直後に設けられ、前記制御
部は、前記電極間電圧が前記第１所定値よりも小さい場合、第１所定間隔ごとに、前記第
３期間と前記第４期間とのうちのいずれか一方が設けられるように前記放電灯駆動部を制
御し、かつ、前記第１所定間隔よりも大きい第２所定間隔ごとに、前記第４期間が設けら
れるように前記放電灯駆動部を制御する構成としてもよい。
この構成によれば、電極間電圧の変化に対して、第３期間の長さの変化を適切に制御す
ることができる。
【００１７】
前記制御部は、定常点灯駆動が実行される定常点灯期間において前記電極間電圧が前記
第１所定値よりも小さい場合、前記第３期間の長さを段階的に大きくする構成としてもよ
い。
この構成によれば、駆動電力が安定し、電極の状態が安定した状態で、第３期間の長さ
を段階的に変化させることができる。
【００１８】
本発明の光源装置の一つの態様は、光を射出する放電灯と、上記の放電灯駆動装置と、
を備えることを特徴とする。
【００１９】
本発明の光源装置の一つの態様によれば、上記の放電灯駆動装置を備えるため、放電灯
の電極間距離が小さくなり過ぎることを抑制できる。
【００２０】
本発明のプロジェクターの一つの態様は、上記の光源装置と、前記光源装置から射出さ
れる光を画像信号に応じて変調する光変調装置と、前記光変調装置により変調された光を
投射する投射光学系と、を備えることを特徴とする。
【００２１】
本発明のプロジェクターの一つの態様によれば、上記の光源装置を備えるため、放電灯
の電極間距離が小さくなり過ぎることを抑制できる。
【００２２】
本発明の放電灯駆動方法の一つの態様は、第１電極および第２電極を有する放電灯に駆
動電流を供給して、前記放電灯を駆動する放電灯駆動方法であって、前記電極間電圧が第
１所定値よりも小さい場合、前記放電灯に交流電流が供給される第１期間と、前記放電灯
に直流電流が供給される第２期間とが交互に繰り返される混合期間と、前記放電灯に直流
電流が供給される第１直流期間、および前記第１直流期間において前記放電灯に供給され
る前記直流電流の極性と反対の極性を有する直流電流が前記放電灯に供給される第２直流
期間を交互に含む第３期間と、を含む前記駆動電流を前記放電灯に供給し、前記第２直流
期間の長さは、０．５ｍｓよりも小さく、前記第３期間における前記第１直流期間の長さ
の合計は、前記第２期間の長さよりも大きく、前記電極間電圧が前記第１所定値よりも小
さい場合、前記第３期間の長さを段階的に大きくすることを特徴とする。
【００２３】
本発明の放電灯駆動方法の一つの態様によれば、上述したのと同様にして、放電灯の電
極間距離が小さくなり過ぎることを抑制できる。
【図面の簡単な説明】
【００２４】
【図１】第１実施形態のプロジェクターを示す概略構成図である。
【図２】第１実施形態における放電灯を示す図である。
【図３】第１実施形態のプロジェクターの各種構成要素を示すブロック図である。
【図４】第１実施形態の放電灯点灯装置の回路図である。
【図５】第１実施形態の制御部の一構成例を示すブロック図である。
【図６Ａ】放電灯の電極先端の突起の様子を示す図である。
【図６Ｂ】放電灯の電極先端の突起の様子を示す図である。
【図７】第１実施形態における放電灯に駆動電流が供給される期間の変化の一例を示す模式図である。
【図８】第１実施形態における混合期間の駆動電流波形の一例を示す図である。
【図９】第１実施形態における第４期間の駆動電流波形の一例を示す図である。
【図１０】第１実施形態における放電灯に駆動電流が供給される期間の変化の一例を示す模式図である。
【図１１】第１実施形態における第３期間の駆動電流波形の一例を示す図である。
【図１２】第１実施形態における第３期間の駆動電流波形の一例を示す図である。
【図１３】第１実施形態における第３期間の駆動電流波形の一例を示す図である。
【図１４】第１実施形態の制御部による放電灯駆動部の制御手順の一例を示すフローチャートである。
【図１５】第１実施形態におけるランプ電圧の変化を示すグラフである。
【図１６】第２実施形態の制御部による放電灯駆動部の制御手順の一例を示すフローチャートである。
【発明を実施するための形態】
【００２５】
以下、図面を参照しながら、本発明の実施形態に係るプロジェクターについて説明する
。
なお、本発明の範囲は、以下の実施の形態に限定されるものではなく、本発明の技術的
思想の範囲内で任意に変更可能である。また、以下の図面においては、各構成をわかりや
すくするために、実際の構造と各構造における縮尺や数等を異ならせる場合がある。
【００２６】
＜第１実施形態＞
図１は、本実施形態のプロジェクター５００を示す概略構成図である。図１に示すよう
に、本実施形態のプロジェクター５００は、光源装置２００と、平行化レンズ３０５と、
照明光学系３１０と、色分離光学系３２０と、３つの液晶ライトバルブ（光変調装置）３
３０Ｒ，３３０Ｇ，３３０Ｂと、クロスダイクロイックプリズム３４０と、投射光学系３
５０と、を備えている。
【００２７】
光源装置２００から射出された光は、平行化レンズ３０５を通過して照明光学系３１０
に入射する。平行化レンズ３０５は、光源装置２００からの光を平行化する。
【００２８】
照明光学系３１０は、光源装置２００から射出される光の照度を、液晶ライトバルブ３
３０Ｒ，３３０Ｇ，３３０Ｂ上において均一化するように調整する。さらに、照明光学系
３１０は、光源装置２００から射出される光の偏光方向を一方向に揃える。その理由は、
光源装置２００から射出される光を液晶ライトバルブ３３０Ｒ，３３０Ｇ，３３０Ｂで有
効に利用するためである。
【００２９】
照度分布と偏光方向とが調整された光は、色分離光学系３２０に入射する。色分離光学
系３２０は、入射光を赤色光（Ｒ）、緑色光（Ｇ）、青色光（Ｂ）の３つの色光に分離す
る。３つの色光は、各色光に対応付けられた液晶ライトバルブ３３０Ｒ，３３０Ｇ，３３
０Ｂにより、映像信号に応じてそれぞれ変調される。液晶ライトバルブ３３０Ｒ，３３０
Ｇ，３３０Ｂは、後述する液晶パネル５６０Ｒ，５６０Ｇ，５６０Ｂと、偏光板（図示せ
ず）と、を備えている。偏光板は、液晶パネル５６０Ｒ，５６０Ｇ，５６０Ｂのそれぞれ
の光入射側および光射出側に配置される。
【００３０】
変調された３つの色光は、クロスダイクロイックプリズム３４０により合成される。合
成光は投射光学系３５０に入射する。投射光学系３５０は、入射光をスクリーン７００（
図３参照）に投射する。これにより、スクリーン７００上に映像が表示される。なお、平
行化レンズ３０５、照明光学系３１０、色分離光学系３２０、クロスダイクロイックプリ
ズム３４０、投射光学系３５０の各々の構成としては、周知の構成を採用することができ
る。
【００３１】
図２は、光源装置２００の構成を示す断面図である。光源装置２００は、光源ユニット
２１０と、放電灯点灯装置（放電灯駆動装置）１０と、を備えている。図２には、光源ユ
ニット２１０の断面図が示されている。光源ユニット２１０は、主反射鏡１１２と、放電
灯９０と、副反射鏡１１３と、を備えている。
【００３２】
放電灯点灯装置１０は、放電灯９０に駆動電流Ｉを供給して放電灯９０を点灯させる。
主反射鏡１１２は、放電灯９０から放出された光を照射方向Ｄに向けて反射する。照射方
向Ｄは、放電灯９０の光軸ＡＸと平行である。
【００３３】
放電灯９０の形状は、照射方向Ｄに沿って延びる棒状である。放電灯９０の一方の端部
を第１端部９０ｅ１とし、放電灯９０の他方の端部を第２端部９０ｅ２とする。放電灯９
０の材料は、例えば、石英ガラス等の透光性材料である。放電灯９０の中央部は球状に膨
らんでおり、その内部は放電空間９１である。放電空間９１には、希ガス、金属ハロゲン
化合物等を含む放電媒体であるガスが封入されている。
【００３４】
放電空間９１には、第１電極９２および第２電極９３の先端が突出している。第１電極
９２は、放電空間９１の第１端部９０ｅ１側に配置されている。第２電極９３は、放電空
間９１の第２端部９０ｅ２側に配置されている。第１電極９２および第２電極９３の形状
は、光軸ＡＸに沿って延びる棒状である。放電空間９１には、第１電極９２および第２電
極９３の電極先端部が、所定距離だけ離れて対向するように配置されている。第１電極９
２および第２電極９３の材料は、例えば、タングステン等の金属である。
【００３５】
放電灯９０の第１端部９０ｅ１に、第１端子５３６が設けられている。第１端子５３６
と第１電極９２とは、放電灯９０の内部を貫通する導電性部材５３４により電気的に接続
されている。同様に、放電灯９０の第２端部９０ｅ２に、第２端子５４６が設けられてい
る。第２端子５４６と第２電極９３とは、放電灯９０の内部を貫通する導電性部材５４４
により電気的に接続されている。第１端子５３６および第２端子５４６の材料は、例えば
、タングステン等の金属である。導電性部材５３４，５４４の材料としては、例えば、モ
リブデン箔が利用される。
【００３６】
第１端子５３６および第２端子５４６は、放電灯点灯装置１０に接続されている。放電
灯点灯装置１０は、第１端子５３６および第２端子５４６に、放電灯９０を駆動するため
の駆動電流Ｉを供給する。その結果、第１電極９２および第２電極９３の間でアーク放電
が起きる。アーク放電により発生した光（放電光）は、破線の矢印で示すように、放電位
置から全方向に向かって放射される。
【００３７】
主反射鏡１１２は、固定部材１１４により、放電灯９０の第１端部９０ｅ１に固定され
ている。主反射鏡１１２は、放電光のうち、照射方向Ｄと反対側に向かって進む光を照射
方向Ｄに向かって反射する。主反射鏡１１２の反射面（放電灯９０側の面）の形状は、放
電光を照射方向Ｄに向かって反射できる範囲内において、特に限定されず、例えば、回転
楕円形状であっても、回転放物線形状であってもよい。例えば、主反射鏡１１２の反射面
の形状を回転放物線形状とした場合、主反射鏡１１２は、放電光を光軸ＡＸに略平行な光
に変換することができる。これにより、平行化レンズ３０５を省略することができる。
【００３８】
副反射鏡１１３は、固定部材５２２により、放電灯９０の第２端部９０ｅ２側に固定さ
れている。副反射鏡１１３の反射面（放電灯９０側の面）の形状は、放電空間９１の第２
端部９０ｅ２側の部分を囲む球面形状である。副反射鏡１１３は、放電光のうち、主反射
鏡１１２が配置された側と反対側に向かって進む光を主反射鏡１１２に向かって反射する
。これにより、放電空間９１から放射される光の利用効率を高めることができる。
【００３９】
固定部材１１４，５２２の材料は、放電灯９０からの発熱に耐え得る耐熱材料である範
囲内において、特に限定されず、例えば、無機接着剤である。主反射鏡１１２および副反
射鏡１１３と放電灯９０との配置を固定する方法としては、主反射鏡１１２および副反射
鏡１１３を放電灯９０に固定する方法に限らず、任意の方法を採用できる。例えば、放電
灯９０と主反射鏡１１２とを、独立にプロジェクター５００の筐体（図示せず）に固定し
てもよい。副反射鏡１１３についても同様である。
【００４０】
以下、プロジェクター５００の回路構成について説明する。
図３は、本実施形態のプロジェクター５００の回路構成の一例を示す図である。プロジ
ェクター５００は、図１に示した光学系の他、画像信号変換部５１０と、直流電源装置８
０と、液晶パネル５６０Ｒ，５６０Ｇ，５６０Ｂと、画像処理装置５７０と、ＣＰＵ（Ce
ntral Processing Unit）５８０と、を備えている。
【００４１】
画像信号変換部５１０は、外部から入力された画像信号５０２（輝度−色差信号やアナ
ログＲＧＢ信号など）を所定のワード長のデジタルＲＧＢ信号に変換して画像信号５１２
Ｒ，５１２Ｇ，５１２Ｂを生成し、画像処理装置５７０に供給する。
【００４２】
画像処理装置５７０は、３つの画像信号５１２Ｒ，５１２Ｇ，５１２Ｂに対してそれぞ
れ画像処理を行う。画像処理装置５７０は、液晶パネル５６０Ｒ，５６０Ｇ，５６０Ｂを
それぞれ駆動するための駆動信号５７２Ｒ，５７２Ｇ，５７２Ｂを液晶パネル５６０Ｒ，
５６０Ｇ，５６０Ｂに供給する。
【００４３】
直流電源装置８０は、外部の交流電源６００から供給される交流電圧を一定の直流電圧
に変換する。直流電源装置８０は、トランス（図示しないが、直流電源装置８０に含まれ
る）の２次側にある画像信号変換部５１０、画像処理装置５７０およびトランスの１次側
にある放電灯点灯装置１０に直流電圧を供給する。
【００４４】
放電灯点灯装置１０は、起動時に放電灯９０の電極間に高電圧を発生し、絶縁破壊を生
じさせて放電路を形成する。以後、放電灯点灯装置１０は、放電灯９０が放電を維持する
ための駆動電流Ｉを供給する。
【００４５】
液晶パネル５６０Ｒ，５６０Ｇ，５６０Ｂは、前述した液晶ライトバルブ３３０Ｒ，３
３０Ｇ，３３０Ｂにそれぞれ備えられている。液晶パネル５６０Ｒ，５６０Ｇ，５６０Ｂ
は、それぞれ駆動信号５７２Ｒ，５７２Ｇ，５７２Ｂに基づいて、前述した光学系を介し
て各液晶パネル５６０Ｒ，５６０Ｇ，５６０Ｂに入射される色光の透過率（輝度）を変調
する。
【００４６】
ＣＰＵ５８０は、プロジェクター５００の点灯開始から消灯に至るまでの各種の動作を
制御する。例えば、図３の例では、通信信号５８２を介して点灯命令や消灯命令を放電灯
点灯装置１０に出力する。ＣＰＵ５８０は、放電灯点灯装置１０から通信信号５８４を介
して放電灯９０の点灯情報を受け取る。
【００４７】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と
、制御部４０と、動作検出部６０と、イグナイター回路７０と、を備えている。
【００４８】
電力制御回路２０は、放電灯９０に供給する駆動電力を生成する。本実施形態において
は、電力制御回路２０は、直流電源装置８０からの電圧を入力とし、入力電圧を降圧して
直流電流Ｉｄを出力するダウンチョッパー回路で構成されている。
【００４９】
電力制御回路２０は、スイッチ素子２１、ダイオード２２、コイル２３およびコンデン
サー２４を含んで構成される。スイッチ素子２１は、例えば、トランジスターで構成され
る。本実施形態においては、スイッチ素子２１の一端は直流電源装置８０の正電圧側に接
続され、他端はダイオード２２のカソード端子およびコイル２３の一端に接続されている
。
【００５０】
コイル２３の他端にコンデンサー２４の一端が接続され、コンデンサー２４の他端はダ
イオード２２のアノード端子および直流電源装置８０の負電圧側に接続されている。スイ
ッチ素子２１の制御端子には、後述する制御部４０から電流制御信号が入力されてスイッ
チ素子２１のＯＮ／ＯＦＦが制御される。電流制御信号には、例えば、ＰＷＭ（Pulse Wi
dth Modulation）制御信号が用いられてもよい。
【００５１】
スイッチ素子２１がＯＮすると、コイル２３に電流が流れ、コイル２３にエネルギーが
蓄えられる。その後、スイッチ素子２１がＯＦＦすると、コイル２３に蓄えられたエネル
ギーがコンデンサー２４とダイオード２２とを通る経路で放出される。その結果、スイッ
チ素子２１がＯＮする時間の割合に応じた直流電流Ｉｄが発生する。
【００５２】
極性反転回路３０は、電力制御回路２０から入力される直流電流Ｉｄを所定のタイミン
グで極性反転させる。これにより、極性反転回路３０は、制御された時間だけ継続する直
流である駆動電流Ｉ、もしくは、任意の周波数を持つ交流である駆動電流Ｉを生成し、出
力する。本実施形態において、極性反転回路３０は、インバーターブリッジ回路（フルブ
リッジ回路）で構成されている。
【００５３】
極性反転回路３０は、例えば、トランジスターなどで構成される第１のスイッチ素子３
１、第２のスイッチ素子３２、第３のスイッチ素子３３、および第４のスイッチ素子３４
を含んでいる。極性反転回路３０は、直列接続された第１のスイッチ素子３１および第２
のスイッチ素子３２と、直列接続された第３のスイッチ素子３３および第４のスイッチ素
子３４と、が互いに並列接続された構成を有する。第１のスイッチ素子３１、第２のスイ
ッチ素子３２、第３のスイッチ素子３３、および第４のスイッチ素子３４の制御端子には
、それぞれ制御部４０から極性反転制御信号が入力される。この極性反転制御信号に基づ
いて、第１のスイッチ素子３１、第２のスイッチ素子３２、第３のスイッチ素子３３およ
び第４のスイッチ素子３４のＯＮ／ＯＦＦ動作が制御される。
【００５４】
極性反転回路３０においては、第１のスイッチ素子３１および第４のスイッチ素子３４
と、第２のスイッチ素子３２および第３のスイッチ素子３３と、を交互にＯＮ／ＯＦＦさ
せる動作が繰り返される。これにより、電力制御回路２０から出力される直流電流Ｉｄの
極性が交互に反転する。極性反転回路３０は、第１のスイッチ素子３１と第２のスイッチ
素子３２との共通接続点、および第３のスイッチ素子３３と第４のスイッチ素子３４との
共通接続点から、制御された時間だけ同一極性状態を継続する直流である駆動電流Ｉ、も
しくは制御された周波数をもつ交流である駆動電流Ｉを生成し、出力する。
【００５５】
すなわち、極性反転回路３０は、第１のスイッチ素子３１および第４のスイッチ素子３
４がＯＮのときには第２のスイッチ素子３２および第３のスイッチ素子３３がＯＦＦであ
り、第１のスイッチ素子３１および第４のスイッチ素子３４がＯＦＦのときには第２のス
イッチ素子３２および第３のスイッチ素子３３がＯＮであるように制御される。したがっ
て、第１のスイッチ素子３１および第４のスイッチ素子３４がＯＮのときには、コンデン
サー２４の一端から第１のスイッチ素子３１、放電灯９０、第４のスイッチ素子３４の順
に流れる駆動電流Ｉが発生する。第２のスイッチ素子３２および第３のスイッチ素子３３
がＯＮのときには、コンデンサー２４の一端から第３のスイッチ素子３３、放電灯９０、
第２のスイッチ素子３２の順に流れる駆動電流Ｉが発生する。
【００５６】
本実施形態において、電力制御回路２０と極性反転回路３０とを合わせた部分が放電灯
駆動部２３０に対応する。すなわち、放電灯駆動部２３０は、放電灯９０を駆動する駆動
電流Ｉを放電灯９０に供給する。
【００５７】
制御部４０は、放電灯駆動部２３０を制御する。図４の例では、制御部４０は、電力制
御回路２０および極性反転回路３０を制御することにより、駆動電流Ｉが同一極性を継続
する保持時間、駆動電流Ｉの電流値（駆動電力の電力値）、周波数等のパラメーターを制
御する。制御部４０は、極性反転回路３０に対して、駆動電流Ｉの極性反転タイミングに
より、駆動電流Ｉが同一極性で継続する保持時間、駆動電流Ｉの周波数等を制御する極性
反転制御を行う。制御部４０は、電力制御回路２０に対して、出力される直流電流Ｉｄの
電流値を制御する電流制御を行う。
【００５８】
本実施形態において制御部４０は、交流駆動と、直流駆動と、片寄駆動と、低周波交流
駆動と、混合駆動と、を実行可能である。交流駆動は、放電灯９０に交流電流が供給され
る駆動である。直流駆動は、放電灯９０に直流電流が供給される駆動である。
【００５９】
片寄駆動は、放電灯９０に極性の異なる直流電流が交互に供給され、一方の極性の直流
電流の長さが、他方の極性の直流電流の長さよりも十分に長い駆動である。低周波交流駆
動は、放電灯９０に交流駆動の交流電流よりも周波数の低い交流電流が供給される駆動で
ある。混合駆動は、交流駆動と直流駆動とが交互に実行される駆動である。各放電灯駆動
によって放電灯９０に供給される駆動電流Ｉの駆動電流波形については、後段において詳
述する。
【００６０】
制御部４０の構成は、特に限定されない。本実施形態においては、制御部４０は、シス
テムコントローラー４１、電力制御回路コントローラー４２、および極性反転回路コント
ローラー４３を含んで構成されている。なお、制御部４０は、その一部または全てを半導
体集積回路で構成してもよい。
【００６１】
システムコントローラー４１は、電力制御回路コントローラー４２および極性反転回路
コントローラー４３を制御することにより、電力制御回路２０および極性反転回路３０を
制御する。システムコントローラー４１は、動作検出部６０が検出したランプ電圧（電極
間電圧）Ｖｌａおよび駆動電流Ｉに基づき、電力制御回路コントローラー４２および極性
反転回路コントローラー４３を制御してもよい。
【００６２】
本実施形態においては、システムコントローラー４１には、記憶部４４が接続されてい
る。
システムコントローラー４１は、記憶部４４に格納された情報に基づき、電力制御回路
２０および極性反転回路３０を制御してもよい。記憶部４４には、例えば、駆動電流Ｉが
同一極性で継続する保持時間、駆動電流Ｉの電流値、周波数、波形、変調パターン等の駆
動パラメーターに関する情報が格納されていてもよい。
【００６３】
電力制御回路コントローラー４２は、システムコントローラー４１からの制御信号に基
づき、電力制御回路２０へ電流制御信号を出力することにより、電力制御回路２０を制御
する。
【００６４】
極性反転回路コントローラー４３は、システムコントローラー４１からの制御信号に基
づき、極性反転回路３０へ極性反転制御信号を出力することにより、極性反転回路３０を
制御する。
【００６５】
制御部４０は、専用回路を用いて実現され、上述した制御や後述する処理の各種制御を
行うようにすることができる。これに対して、制御部４０は、例えば、ＣＰＵが記憶部４
４に記憶された制御プログラムを実行することによりコンピューターとして機能し、これ
らの処理の各種制御を行うようにすることもできる。
【００６６】
図５は、制御部４０の他の構成例について説明するための図である。図５に示すように
、制御部４０は、制御プログラムにより、電力制御回路２０を制御する電流制御手段４０
−１、極性反転回路３０を制御する極性反転制御手段４０−２として機能するように構成
されてもよい。
【００６７】
図４に示した例では、制御部４０は、放電灯点灯装置１０の一部として構成されている
。これに対して、制御部４０の機能の一部をＣＰＵ５８０が担うように構成されていても
よい。
【００６８】
動作検出部６０は、本実施形態においては、放電灯９０のランプ電圧Ｖｌａを検出して
制御部４０にランプ電圧情報を出力する電圧検出部を含む。また、動作検出部６０は、駆
動電流Ｉを検出して制御部４０に駆動電流情報を出力する電流検出部などを含んでいても
よい。本実施形態においては、動作検出部６０は、第１の抵抗６１、第２の抵抗６２およ
び第３の抵抗６３を含んで構成されている。
【００６９】
本実施形態において、動作検出部６０の電圧検出部は、放電灯９０と並列に、互いに直
列接続された第１の抵抗６１および第２の抵抗６２で分圧した電圧によりランプ電圧Ｖｌ
ａを検出する。また、本実施形態において、電流検出部は、放電灯９０に直列に接続され
た第３の抵抗６３に発生する電圧により駆動電流Ｉを検出する。
【００７０】
イグナイター回路７０は、放電灯９０の点灯開始時にのみ動作する。イグナイター回路
７０は、放電灯９０の点灯開始時に放電灯９０の電極間（第１電極９２と第２電極９３と
の間）を絶縁破壊して放電路を形成するために必要な高電圧（放電灯９０の通常点灯時よ
りも高い電圧）を、放電灯９０の電極間（第１電極９２と第２電極９３との間）に供給す
る。本実施形態においては、イグナイター回路７０は、放電灯９０と並列に接続されてい
る。
【００７１】
図６Ａおよび図６Ｂには、第１電極９２および第２電極９３の先端部分が示されている
。第１電極９２および第２電極９３の先端にはそれぞれ突起５５２ｐ，５６２ｐが形成さ
れている。
【００７２】
第１電極９２と第２電極９３の間で生じる放電は、主として突起５５２ｐと突起５６２
ｐとの間で生じる。本実施形態のように突起５５２ｐ，５６２ｐがある場合には、突起が
無い場合と比べて、第１電極９２および第２電極９３における放電位置（アーク位置）の
移動を抑えることができる。
【００７３】
図６Ａは、第１電極９２が陽極として動作し、第２電極９３が陰極として動作する第１
極性状態を示している。第１極性状態では、放電により、第２電極９３（陰極）から第１
電極９２（陽極）へ電子が移動する。陰極（第２電極９３）からは電子が放出される。陰
極（第２電極９３）から放出された電子は陽極（第１電極９２）の先端に衝突する。この
衝突によって熱が生じ、陽極（第１電極９２）の先端（突起５５２ｐ）の温度が上昇する
。
【００７４】
図６Ｂは、第１電極９２が陰極として動作し、第２電極９３が陽極として動作する第２
極性状態を示している。第２極性状態では、第１極性状態とは逆に、第１電極９２から第
２電極９３へ電子が移動する。その結果、第２電極９３の先端（突起５６２ｐ）の温度が
上昇する。
【００７５】
このように、放電灯９０に駆動電流Ｉが供給されることで、電子が衝突する陽極の温度
は上昇する。一方、電子を放出する陰極は、陽極に向けて電子を放出している間、温度は
低下する。
【００７６】
第１電極９２と第２電極９３との電極間距離は、突起５５２ｐ，５６２ｐの劣化ととも
に大きくなる。突起５５２ｐ，５６２ｐが損耗するためである。電極間距離が大きくなる
と、第１電極９２と第２電極９３との間の抵抗が大きくなるため、ランプ電圧Ｖｌａが大
きくなる。したがって、ランプ電圧Ｖｌａを参照することによって、電極間距離の変化、
すなわち、放電灯９０の劣化度合いを検出することができる。
【００７７】
なお、第１電極９２と第２電極９３とは、同様の構成であるため、以下の説明において
は、代表して第１電極９２についてのみ説明する場合がある。また、第１電極９２の先端
の突起５５２ｐと第２電極９３の先端の突起５６２ｐとは、同様の構成であるため、以下
の説明においては、代表して突起５５２ｐについてのみ説明する場合がある。
【００７８】
以下、本実施形態の制御部４０による放電灯駆動部２３０の制御について説明する。本
実施形態において制御部４０は、交流駆動、直流駆動、片寄駆動、および低周波交流駆動
の４つの駆動を組み合わせて放電灯駆動部２３０を制御する。本実施形態において制御部
４０は、例えば、所定の駆動サイクルが繰り返されるように、放電灯駆動部２３０を制御
する。所定の駆動サイクルは、駆動サイクルＣ２と、駆動サイクルＣ１と、を含む。本実
施形態において駆動サイクルＣ２と駆動サイクルＣ１とは、ランプ電圧Ｖｌａに応じて切
り換えられる。
【００７９】
以下、各駆動サイクルにおける放電灯９０に駆動電流Ｉが供給される期間の変化につい
て説明する。まず、駆動サイクルＣ１について説明する。本実施形態において駆動サイク
ルＣ１は、ランプ電圧Ｖｌａが第１所定値Ｖｌａ１以上の場合に実行される駆動サイクル
である。第１所定値Ｖｌａ１は、例えば、６０Ｖ以上、６３Ｖ以下である。図７は、駆動
サイクルＣ１が繰り返されるように放電灯駆動部２３０が制御される場合を示している。
【００８０】
図７に示すように、本実施形態において駆動サイクルＣ１は、第１期間Ｐ１と、第２期
間Ｐ２と、第４期間Ｐ４と、を有する。駆動サイクルＣ１には、第１期間Ｐ１と第２期間
Ｐ２とが交互に繰り返される混合期間ＰＨ１が設けられる。すなわち、制御部４０は、駆
動サイクルＣ１において、混合期間ＰＨ１と第４期間Ｐ４とが設けられるように放電灯駆
動部２３０を制御する。
【００８１】
図７の例では、駆動サイクルＣ１は、１つの混合期間ＰＨ１と、混合期間ＰＨ１の直後
に設けられた第４期間Ｐ４と、からなる。すなわち、本実施形態において制御部４０は、
ランプ電圧Ｖｌａが第１所定値Ｖｌａ１以上の場合、後述する第３期間Ｐ３が設けられな
いように放電灯駆動部２３０を制御する。本実施形態では、駆動サイクルＣ１が繰り返さ
れることで、混合期間ＰＨ１と第４期間Ｐ４とが交互に繰り返される。第４期間Ｐ４は、
後述する第２所定間隔（例えば、９０ｓ（秒））ごとに設けられる。混合期間ＰＨ１にお
ける第１期間Ｐ１の数と第２期間Ｐ２の数とは、特に限定されない。
【００８２】
第１期間Ｐ１は、交流駆動が実行される期間である。第２期間Ｐ２は、直流駆動が実行
される期間である。第４期間Ｐ４は、低周波交流駆動が実行される期間である。このよう
に、駆動サイクルＣ１は、制御部４０が３つの駆動を行うことで実行される。混合期間Ｐ
Ｈ１は、混合駆動が実行される期間である。以下、各期間について詳細に説明する。
【００８３】
図８は、混合期間ＰＨ１の駆動電流波形の一例を示す図である。図８において、縦軸は
駆動電流Ｉを示しており、横軸は時間Ｔを示している。駆動電流Ｉは、第１極性状態であ
る場合を正とし、第２極性状態となる場合を負として示している。
【００８４】
図８に示すように、第１期間Ｐ１は、放電灯９０に第１周波数ｆ１を有する交流電流が
供給される期間である。本実施形態において第１期間Ｐ１は、第１交流期間Ｐ１１と、第
２交流期間Ｐ１２と、第３交流期間Ｐ１３と、第４交流期間Ｐ１４と、を有する。第１交
流期間Ｐ１１と、第２交流期間Ｐ１２と、第３交流期間Ｐ１３と、第４交流期間Ｐ１４と
は、この順に連続して設けられる。
【００８５】
本実施形態において第１交流期間Ｐ１１と、第２交流期間Ｐ１２と、第３交流期間Ｐ１
３と、第４交流期間Ｐ１４と、における交流電流は、例えば、電流値Ｉｍ１と電流値−Ｉ
ｍ１との間で極性が複数回反転される矩形波交流電流である。
【００８６】
第１交流期間Ｐ１１における第１周波数ｆ１１と、第２交流期間Ｐ１２における第１周
波数ｆ１２と、第３交流期間Ｐ１３における第１周波数ｆ１３と、第４交流期間Ｐ１４に
おける第１周波数ｆ１４とは、互いに異なる。すなわち、本実施形態において第１周波数
ｆ１は、互いに異なる複数の周波数を含み、第１期間Ｐ１は、放電灯９０に供給される交
流電流の周波数が互いに異なる交流期間を複数有している。
【００８７】
第１周波数ｆ１１と、第１周波数ｆ１２と、第１周波数ｆ１３と、第１周波数ｆ１４と
、は、この順に小さくなる。すなわち、第１期間Ｐ１において、時間的に後に設けられる
交流期間ほど交流電流の周波数が小さくなる。
【００８８】
本実施形態において、第１期間Ｐ１の開始極性は、例えば、直前に設けられる期間の終
了極性と反対の極性である。開始極性とは、ある期間が開始した時点における駆動電流Ｉ
の極性である。終了極性とは、ある期間が終了した時点における駆動電流Ｉの極性である
。
【００８９】
具体的には、例えば、第１期間Ｐ１の直前に設けられた第２期間Ｐ２において放電灯９
０に供給される直流電流の極性が第２極性であった場合、第２期間Ｐ２の終了極性は第２
極性となるため、第１期間Ｐ１の開始極性は第１極性である。また、例えば、第１期間Ｐ
１の直前の第４期間Ｐ４の終了極性が第１極性であった場合、第１期間Ｐ１の開始極性は
第２極性である。本実施形態において第１期間Ｐ１の開始極性とは、第１交流期間Ｐ１１
の開始極性である。
【００９０】
本実施形態において、第１交流期間Ｐ１１の長さｔ１１と、第２交流期間Ｐ１２の長さ
ｔ１２と、第３交流期間Ｐ１３の長さｔ１３と、第４交流期間Ｐ１４の長さｔ１４とは、
例えば、同じである。本実施形態において、第１期間Ｐ１の長さｔ１、すなわち、長さｔ
１１〜ｔ１４の合計の長さは、例えば、１０ｍｓ（ミリ秒）以上、１０ｓ（秒）以下であ
る。第１期間Ｐ１の長さｔ１がこのように設定されることで、第１電極９２の突起５５２
ｐおよび第２電極９３の突起５６２ｐに好適に熱負荷を加えることができる。
【００９１】
第２期間Ｐ２は、放電灯９０に直流電流が供給される期間である。図８に示す例では、
第２期間Ｐ２においては、一定の電流値Ｉｍ１を有する第１極性の駆動電流Ｉが放電灯９
０に供給される。混合期間ＰＨ１の第２期間Ｐ２において放電灯９０に供給される直流電
流の極性は、第２期間Ｐ２が設けられるごとに反転する。
【００９２】
すなわち、図７に示す混合期間ＰＨ１において、第１期間Ｐ１の直前に設けられる第２
期間Ｐ２の直流電流と、第１期間Ｐ１の直後に設けられる第２期間Ｐ２の直流電流とでは
、互いに極性が異なる。例えば、第１期間Ｐ１の直前に設けられる第２期間Ｐ２の直流電
流の極性が、図８に示す第２期間Ｐ２の直流電流と同様に第１極性である場合、第１期間
Ｐ１の直後に設けられる第２期間Ｐ２の直流電流の極性は、第１極性と反対の第２極性で
ある。この場合、第１期間Ｐ１の直後に設けられる第２期間Ｐ２においては、一定の電流
値−Ｉｍ１を有する第２極性の駆動電流Ｉが放電灯９０に供給される。
【００９３】
図８に示す第２期間Ｐ２の長さｔ２は、第１期間Ｐ１における第１周波数ｆ１１を有す
る交流電流の半周期の長さよりも大きい。第２期間Ｐ２の長さｔ２は、例えば、１０ｍｓ
（ミリ秒）以上、２０ｍｓ（ミリ秒）以下である。第２期間Ｐ２の長さｔ２がこのように
設定されることで、第１電極９２の突起５５２ｐに好適に熱負荷を加えることができる。
【００９４】
図７に示すように、本実施形態において第４期間Ｐ４は、時間的に隣り合う混合期間Ｐ
Ｈ１の間に設けられる。第４期間Ｐ４は、例えば、第１期間Ｐ１の直後に設けられる。第
４期間Ｐ４は、例えば、第１期間Ｐ１の直前に設けられる。すなわち、第４期間Ｐ４は、
例えば、第１期間Ｐ１に挟まれて設けられる。
【００９５】
図９は、第４期間Ｐ４の駆動電流波形の一例を示す図である。図９において、縦軸は駆
動電流Ｉを示しており、横軸は時間Ｔを示している。駆動電流Ｉは、第１極性状態である
場合を正とし、第２極性状態となる場合を負として示している。
【００９６】
図９に示すように、第４期間Ｐ４は、第１期間Ｐ１において放電灯９０に供給される交
流電流の第１周波数ｆ１よりも小さい第２周波数ｆ２を有する交流電流が放電灯９０に供
給される期間である。すなわち、第４期間Ｐ４における交流電流の第２周波数ｆ２は、第
１周波数ｆ１１〜ｆ１４のいずれよりも小さい。第２周波数ｆ２の値は、例えば、１０Ｈ
ｚ以上、１００Ｈｚ以下の間である。
【００９７】
第４期間Ｐ４は、設けられるごとに開始極性が反転する。図９の例では、第４期間Ｐ４
の開始極性は、例えば、第１極性である。そのため、図９に示す第４期間Ｐ４の次に設け
られる第４期間Ｐ４においては、開始極性は第２極性となる。
【００９８】
第４期間Ｐ４の長さｔ４は、例えば、第２期間Ｐ２の長さｔ２よりも大きい。第４期間
Ｐ４の長さｔ４は、第２周波数ｆ２を有する交流電流の６周期の長さ以上、３０周期の長
さ以下である。第４期間Ｐ４の長さｔ４がこのように設定されることで、第１電極９２の
突起５５２ｐの形状を好適に整えることができる。
【００９９】
次に、駆動サイクルＣ２について説明する。本実施形態において駆動サイクルＣ２は、
ランプ電圧Ｖｌａが第１所定値Ｖｌａ１よりも大きい場合に実行される駆動サイクルであ
る。図１０は、駆動サイクルＣ２が繰り返されるように放電灯駆動部２３０が制御される
場合を示している。図１０に示すように、本実施形態において駆動サイクルＣ２は、混合
期間ＰＨ１と、第３期間Ｐ３と、第４期間Ｐ４と、を有する。すなわち、制御部４０は、
駆動サイクルＣ２において、混合期間ＰＨ１と第３期間Ｐ３と第４期間Ｐ４とが設けられ
るように放電灯駆動部２３０を制御する。本実施形態において混合期間ＰＨ１は、１つの
駆動サイクルＣ２に複数設けられる。本実施形態の駆動サイクルＣ２は、第３期間Ｐ３が
設けられている点において、駆動サイクルＣ１と異なる。
【０１００】
第３期間Ｐ３は、片寄駆動が実行される期間である。第３期間Ｐ３は、時間的に隣り合
う混合期間ＰＨ１の間に設けられる。第３期間Ｐ３は、例えば、第１期間Ｐ１の直後に設
けられる。第３期間Ｐ３は、例えば、第１期間Ｐ１の直前に設けられる。すなわち、第３
期間Ｐ３は、例えば、第１期間Ｐ１に挟まれて設けられる。
【０１０１】
図１１から図１３は、第３期間Ｐ３の駆動電流波形の一例を示す図である。図１１から
図１３において、縦軸は駆動電流Ｉを示しており、横軸は時間Ｔを示している。駆動電流
Ｉは、第１極性状態である場合を正とし、第２極性状態となる場合を負として示している
。
【０１０２】
図１１から図１３に示すように、第３期間Ｐ３は、第１直流期間Ｐ３１および第２直流
期間Ｐ３２を交互に含む期間である。第１直流期間Ｐ３１は、放電灯９０に直流電流が供
給される期間である。図１１から図１３に示す例では、第１直流期間Ｐ３１においては、
一定の電流値Ｉｍ１を有する第１極性の駆動電流Ｉが放電灯９０に供給される。
【０１０３】
第２直流期間Ｐ３２は、第１直流期間Ｐ３１において放電灯９０に供給される直流電流
の極性と反対の極性を有する直流電流が放電灯９０に供給される期間である。すなわち、
図１１から図１３に示す例では、第２直流期間Ｐ３２においては、一定の電流値−Ｉｍ１
を有する第２極性の駆動電流Ｉが放電灯９０に供給される。
【０１０４】
第１直流期間Ｐ３１において放電灯９０に供給される直流電流の極性および第２直流期
間Ｐ３２において放電灯９０に供給される直流電流の極性は、第３期間Ｐ３が設けられる
ごとに反転する。すなわち、図１１から図１３に示される第３期間Ｐ３の次に設けられる
第３期間Ｐ３においては、第１直流期間Ｐ３１において放電灯９０に供給される直流電流
の極性は、第２極性となり、第２直流期間Ｐ３２において放電灯９０に供給される直流電
流の極性は、第１極性となる。
【０１０５】
第１直流期間Ｐ３１の長さｔ３１は、第２直流期間Ｐ３２の長さｔ３２よりも大きい。
第１直流期間Ｐ３１の長さｔ３１は、例えば、第２直流期間Ｐ３２の長さｔ３２の１０倍
以上である。第１直流期間Ｐ３１の長さｔ３１がこのように設定されることで、第３期間
Ｐ３において、一方の電極を好適に加熱しつつ、他方の電極の温度が低下し過ぎることを
好適に抑制できる。
【０１０６】
第１直流期間Ｐ３１の長さｔ３１は、例えば、５．０ｍｓ（ミリ秒）以上、２０ｍｓ（
ミリ秒）以下である。第２直流期間Ｐ３２の長さｔ３２は、０．５ｍｓ（ミリ秒）よりも
小さい。
【０１０７】
第３期間Ｐ３における第１直流期間Ｐ３１の長さｔ３１の合計は、第２期間Ｐ２の長さ
ｔ２よりも大きく、第４期間Ｐ４の交流電流、すなわち第２周波数ｆ２を有する交流電流
の半周期の長さよりも大きい。第３期間Ｐ３における第１直流期間Ｐ３１の長さｔ３１の
合計とは、第３期間Ｐ３に含まれるすべての第１直流期間Ｐ３１の長さｔ３１を足し合わ
せた長さである。図１１の例では、第３期間Ｐ３には、２つの第１直流期間Ｐ３１が含ま
れている。そのため、第３期間Ｐ３における第１直流期間Ｐ３１の長さｔ３１の合計とは
、２つの第１直流期間Ｐ３１の長さｔ３１を足し合わせた長さである。
【０１０８】
第３期間Ｐ３における第１直流期間Ｐ３１の長さｔ３１の合計は、例えば、１０ｍｓ（
ミリ秒）以上、１．０ｓ（秒）以下である。第３期間Ｐ３における第１直流期間Ｐ３１の
長さｔ３１の合計がこのように設定されることで、第１電極９２の突起５５２ｐに加えら
れる熱負荷を好適に大きくできる。
【０１０９】
なお、以下の説明においては、第３期間Ｐ３における第１直流期間Ｐ３１の長さｔ３１
の合計を、単に、第１直流期間Ｐ３１の合計長さ、と呼ぶ場合がある。
【０１１０】
第１直流期間Ｐ３１の長さｔ３１は、それぞれ同じであってもよいし、互いに異なって
いてもよい。図１１から図１３の例では、第１直流期間Ｐ３１の長さｔ３１は、それぞれ
同じである。
【０１１１】
第３期間Ｐ３に含まれる第１直流期間Ｐ３１の数は、例えば、第１直流期間Ｐ３１の合
計長さに基づいて決まる。第１直流期間Ｐ３１の数は、例えば、各第１直流期間Ｐ３１の
長さｔ３１が所定の値以下となる範囲内で、第１直流期間Ｐ３１の長さｔ３１をなるべく
大きくしつつ、設定された第１直流期間Ｐ３１の合計長さを実現できるように決められる
。すなわち、第３期間Ｐ３に含まれる第１直流期間Ｐ３１の数は、例えば、第１直流期間
Ｐ３１の合計長さが大きくなるほど多くなる。
【０１１２】
具体的には、例えば所定の値が１０ｍｓ（ミリ秒）と設定される場合、第１直流期間Ｐ
３１の合計長さが１０ｍｓ（ミリ秒）よりも大きく２０ｍｓ（ミリ秒）以下のとき、第３
期間Ｐ３に含まれる第１直流期間Ｐ３１の数は２つである。また、第１直流期間Ｐ３１の
合計長さが２０ｍｓ（ミリ秒）よりも大きく３０ｍｓ（ミリ秒）以下のとき、第３期間Ｐ
３に含まれる第１直流期間Ｐ３１の数は３つである。
【０１１３】
図１１に示す例では、第３期間Ｐ３に含まれる第１直流期間Ｐ３１の数は２つである。
すなわち、例えば所定の値が１０ｍｓ（ミリ秒）と設定される場合、第１直流期間Ｐ３１
の合計長さは、１０ｍｓ（ミリ秒）よりも大きく２０ｍｓ（ミリ秒）以下である。
【０１１４】
以上のように設定することで、各第１直流期間Ｐ３１の長さｔ３１を所定の値（２０ｍ
ｓ）以下としつつ、設定された第１直流期間Ｐ３１の合計長さを実現できる。
【０１１５】
本実施形態の例では、図１１に示す第３期間Ｐ３Ａは、２つの第１直流期間Ｐ３１と１
つの第２直流期間Ｐ３２とからなる。図１２に示す第３期間Ｐ３Ｂは、３つの第１直流期
間Ｐ３１と２つの第２直流期間Ｐ３２とからなる。図１３に示す第３期間Ｐ３Ｃは、４つ
の第１直流期間Ｐ３１と３つの第２直流期間Ｐ３２とからなる。第３期間Ｐ３の長さｔ３
は、第３期間Ｐ３Ａ、第３期間Ｐ３Ｂ、第３期間Ｐ３Ｃの順に大きくなる。
【０１１６】
上述したように、本実施形態において第３期間Ｐ３と第４期間Ｐ４とは、時間的に隣り
合う混合期間ＰＨ１同士の間にそれぞれ設けられる。駆動サイクルＣ２において第３期間
Ｐ３と第４期間Ｐ４とは、一定のパターンに沿って周期的に設けられる。具体的には、制
御部４０は、ランプ電圧Ｖｌａが第１所定値Ｖｌａ１よりも小さい場合、第１所定間隔ご
とに、第３期間Ｐ３と第４期間Ｐ４とのうちのいずれか一方が設けられるように、かつ、
第１所定間隔よりも大きい第２所定間隔ごとに、第４期間Ｐ４が設けられるように放電灯
駆動部２３０を制御する。第１所定間隔は、例えば、３０ｓ（秒）であり、第２所定間隔
は、例えば、９０ｓ（秒）である。
【０１１７】
図１０の例では、第３期間Ｐ３が３０ｓ（秒）ごとに２つ設けられた後に、第４期間Ｐ
４が設けられる。すなわち、第４期間Ｐ４が設けられてから次の第４期間Ｐ４が設けられ
るまでの間に、２つの第３期間Ｐ３が設けられる。第３期間Ｐ３における第１直流期間Ｐ
３１において放電灯９０に供給される直流電流の極性、および第２直流期間Ｐ３２におい
て放電灯９０に供給される直流電流の極性は、第３期間Ｐ３が設けられるごとに反転する
。そのため、時間的に隣り合う第４期間Ｐ４に挟まれて設けられる２つの第３期間Ｐ３に
おいては、放電灯９０に供給される駆動電流Ｉの極性が互いに逆となる。
【０１１８】
すなわち、本実施形態において制御部４０は、第４期間Ｐ４が設けられる第２所定間隔
において、第１極性の直流電流が放電灯９０に供給される第１直流期間Ｐ３１、および第
２極性の直流電流が放電灯９０に供給される第２直流期間Ｐ３２を交互に含む第３期間Ｐ
３と、第２極性の直流電流が放電灯９０に供給される第１直流期間Ｐ３１、および第１極
性の直流電流が放電灯９０に供給される第２直流期間Ｐ３２を交互に含む第３期間Ｐ３と
、の２つの第３期間Ｐ３が設けられるように放電灯駆動部２３０を制御する。言い換える
と、時間的に隣り合う第４期間Ｐ４に挟まれる期間において、これら２つの第３期間Ｐ３
が設けられる。
【０１１９】
次に、本実施形態の制御部４０による駆動サイクルＣ１と駆動サイクルＣ２との切り換
え制御について説明する。図１４は、本実施形態の制御部４０による駆動サイクルＣ１と
駆動サイクルＣ２との切り換え制御の一例について示すフローチャートである。図１４に
示すように、制御部４０は、放電灯９０が点灯開始された（ステップＳ１）後、動作検出
部６０の電圧検出部によって検出されたランプ電圧Ｖｌａが第１所定値Ｖｌａ１よりも小
さいか否かを判断する（ステップＳ２）。
【０１２０】
ここで、ステップＳ２において判断に用いられるランプ電圧Ｖｌａは、例えば、前回、
プロジェクター５００の電源をＯＦＦにする直前のランプ電圧Ｖｌａであってもよいし、
放電灯９０の定常点灯駆動が実行される定常点灯期間の開始直後のランプ電圧Ｖｌａであ
ってもよい。定常点灯期間の開始直後のランプ電圧Ｖｌａは、定常点灯期間が開始された
直後に検出されたランプ電圧Ｖｌａであってもよいし、放電灯９０の立上期間において検
出されたランプ電圧Ｖｌａに基づいて推定された値であってもよい。
【０１２１】
なお、立上期間とは、放電灯９０が点灯開始してから定常点灯駆動が行われるまでの期
間であり、放電灯９０の点灯開始から目標電力に向けて上昇する駆動電力Ｗｄが安定する
までの期間である。定常点灯期間は、定常点灯駆動が実行される期間であり、駆動電力Ｗ
ｄが安定した後に、継続的に放電灯９０を点灯させる期間である。
【０１２２】
ステップＳ２においてランプ電圧Ｖｌａが第１所定値Ｖｌａ１以上の場合（ステップＳ
２：ＮＯ）、制御部４０は、駆動サイクルを駆動サイクルＣ１に設定し、駆動サイクルＣ
１を実行する（ステップＳ３）。そして、制御部４０は、駆動サイクルＣ１の実行中にお
いて、ランプ電圧Ｖｌａが第１所定値Ｖｌａ１よりも小さいか否かを判断する（ステップ
Ｓ４）。ここで、本実施形態において駆動サイクルＣ１の実行中におけるランプ電圧Ｖｌ
ａの検出は、第４期間Ｐ４において行われる。すなわち、電圧検出部は、第４期間Ｐ４に
おいてランプ電圧Ｖｌａを検出する。
【０１２３】
駆動サイクルＣ１の実行中においてランプ電圧Ｖｌａが第１所定値Ｖｌａ１以上の場合
（ステップＳ４：ＮＯ）、制御部４０は、駆動サイクルＣ１を実行し続ける。一方、駆動
サイクルＣ１の実行中においてランプ電圧Ｖｌａが第１所定値Ｖｌａ１よりも小さい場合
（ステップＳ４：ＹＥＳ）、制御部４０は、駆動サイクルを駆動サイクルＣ２に設定し、
実行する（ステップＳ５）。
【０１２４】
一方、ステップＳ２においてランプ電圧Ｖｌａが第１所定値Ｖｌａ１よりも小さい場合
（ステップＳ２：ＹＥＳ）、制御部４０は、駆動サイクルを駆動サイクルＣ２に設定し、
実行する（ステップＳ５）。このように、制御部４０は、ランプ電圧Ｖｌａが第１所定値
Ｖｌａ１よりも小さい場合、駆動サイクルＣ２を実行する。言い換えると、制御部４０は
、ランプ電圧Ｖｌａが第１所定値Ｖｌａ１よりも小さい場合、混合期間ＰＨ１と第３期間
Ｐ３と第４期間Ｐ４とが設けられるように放電灯駆動部２３０を制御する。
【０１２５】
制御部４０は、駆動サイクルＣ２の実行中において、ランプ電圧Ｖｌａが第１所定値Ｖ
ｌａ１よりも小さいか否かを判断する（ステップＳ６）。ここで、本実施形態において駆
動サイクルＣ２の実行中におけるランプ電圧Ｖｌａの検出は、駆動サイクルＣ１の実行中
と同様に、第４期間Ｐ４において行われる。
【０１２６】
駆動サイクルＣ２の実行中においてランプ電圧Ｖｌａが第１所定値Ｖｌａ１以上の場合
（ステップＳ６：ＮＯ）、制御部４０は、駆動サイクルを駆動サイクルＣ１へと戻す（ス
テップＳ３）。すなわち、制御部４０は、ランプ電圧Ｖｌａが第１所定値Ｖｌａ１以上の
場合、第３期間Ｐ３が設けられないように放電灯駆動部２３０を制御する。一方、駆動サ
イクルＣ２の実行中においてランプ電圧Ｖｌａが第１所定値Ｖｌａ１よりも小さい場合（
ステップＳ６：ＹＥＳ）、制御部４０は、第３期間Ｐ３の長さｔ３が上限値よりも小さい
か否かを判断する（ステップＳ７）。ここで、第３期間Ｐ３の長さｔ３の上限値は、例え
ば、２００ｍｓ（ミリ秒）である。
【０１２７】
第３期間Ｐ３の長さｔ３が上限値よりも小さい場合（ステップＳ７：ＹＥＳ）、制御部
４０は、第３期間Ｐ３の長さｔ３を大きくする（ステップＳ８）。具体的には、例えば、
第３期間Ｐ３が図１１に示す第３期間Ｐ３Ａであった場合、制御部４０は、第３期間Ｐ３
を図１２に示す第３期間Ｐ３Ｂにする。第３期間Ｐ３が図１２に示す第３期間Ｐ３Ｂであ
った場合、制御部４０は、第３期間Ｐ３を図１３に示す第３期間Ｐ３Ｃにする。これによ
り、制御部４０は、第３期間Ｐ３の長さｔ３を大きくする。
【０１２８】
第３期間Ｐ３の長さｔ３を大きくした後、制御部４０は、再びランプ電圧Ｖｌａが第１
所定値Ｖｌａ１よりも小さいか否かを判断し（ステップＳ６）、ランプ電圧Ｖｌａが第１
所定値Ｖｌａ１よりも小さく（ステップＳ６：ＹＥＳ）、第３期間Ｐ３の長さｔ３が上限
値よりも小さい場合（ステップＳ７：ＹＥＳ）、再び第３期間Ｐ３の長さｔ３を大きくす
る。このようにして、制御部４０は、ランプ電圧Ｖｌａが第１所定値Ｖｌａ１よりも小さ
い場合、第３期間Ｐ３の長さｔ３を段階的に大きくする。
【０１２９】
一例として、第２期間Ｐ２の長さｔ２は、１０ｍｓ（ミリ秒）である。第３期間Ｐ３Ａ
の長さｔ３は、２０ｍｓ（ミリ秒）である。第３期間Ｐ３Ｂの長さｔ３は、３０ｍｓ（ミ
リ秒）である。第３期間Ｐ３Ｃの長さｔ３は、４０ｍｓ（ミリ秒）である。すなわち、駆
動サイクルＣ２において第３期間Ｐ３が設けられる箇所に相当する駆動サイクルＣ１の第
２期間Ｐ２、および駆動サイクルＣ２の第３期間Ｐ３の期間を合わせて考えると、ランプ
電圧Ｖｌａが第１所定値Ｖｌａ１よりも小さくなった場合、制御部４０は、当該期間の長
さを１０ｍｓ（ミリ秒）ずつ大きくしていく。そして、制御部４０は、ランプ電圧Ｖｌａ
が第１所定値Ｖｌａ１以上となった場合、当該期間の長さを１０ｍｓ（ミリ秒）に戻す。
【０１３０】
図１５は、累積点灯時間ｔｔに対するランプ電圧Ｖｌａの変化を示すグラフである。図
１５において、縦軸はランプ電圧Ｖｌａを示しており、横軸は累積点灯時間ｔｔを示して
いる。累積点灯時間ｔｔとは、放電灯９０が点灯された時間の総計である。すなわち、累
積点灯時間ｔｔは、放電灯９０が初めて点灯したときから積算された時間である。
【０１３１】
本実施形態において上述した駆動サイクルＣ１と駆動サイクルＣ２との切り換え制御は
、図１５に示す累積点灯時間ｔｔが第２所定値ｔｔ１以下の初期期間ＰＨＦにおいて行わ
れる。すなわち、本実施形態において制御部４０は、ランプ電圧Ｖｌａが第１所定値Ｖｌ
ａ１よりも小さい場合であり、かつ、放電灯９０の累積点灯時間ｔｔが第２所定値ｔｔ１
以下の場合、第３期間Ｐ３の長さｔ３を段階的に大きくする。
【０１３２】
第２所定値ｔｔ１は、例えば、２０ｈ（時間）以上、１００ｈ（時間）以下である。第
２所定値ｔｔ１は、第３所定値ｔｔ２よりも小さい。第３所定値ｔｔ２は、ランプ電圧Ｖ
ｌａが劣化し始め、ランプ電圧Ｖｌａが上昇していく時点の累積点灯時間ｔｔである。
【０１３３】
また、本実施形態において上述した駆動サイクルＣ１と駆動サイクルＣ２との切り換え
制御は、定常点灯駆動が実行される定常点灯期間において実行される。すなわち、制御部
４０は、定常点灯駆動が実行される定常点灯期間においてランプ電圧Ｖｌａが第１所定値
Ｖｌａ１よりも小さい場合、第３期間Ｐ３の長さｔ３を段階的に大きくする。
【０１３４】
上述した制御を行う制御部４０を備える放電灯点灯装置１０は、放電灯駆動方法として
も表現できる。すなわち、本実施形態の放電灯駆動方法の一つの態様は、第１電極９２お
よび第２電極９３を有する放電灯９０に駆動電流Ｉを供給して、放電灯９０を駆動する放
電灯駆動方法であって、ランプ電圧Ｖｌａが第１所定値Ｖｌａ１よりも小さい場合、放電
灯９０に交流電流が供給される第１期間Ｐ１と、放電灯９０に直流電流が供給される第２
期間Ｐ２とが交互に繰り返される混合期間ＰＨ１と、第１電極９２が陽極となる第１直流
期間Ｐ３１、および第２電極９３が陽極となる第２直流期間Ｐ３２を交互に含み、第１直
流期間Ｐ３１の長さｔ３１が第２直流期間Ｐ３２の長さｔ３２よりも大きい第３期間Ｐ３
と、を含む駆動電流Ｉを放電灯９０に供給し、第２直流期間Ｐ３２の長さは、０．５ｍｓ
よりも小さく、第３期間Ｐ３における第１直流期間Ｐ３１の長さｔ３１の合計は、第２期
間Ｐ２の長さｔ２よりも大きく、ランプ電圧Ｖｌａが第１所定値Ｖｌａ１よりも小さい場
合、第３期間Ｐ３の長さｔ３を段階的に大きくする。
【０１３５】
本実施形態によれば、ランプ電圧Ｖｌａが第１所定値Ｖｌａ１よりも小さい場合、放電
灯９０に交流電流が供給される第１期間Ｐ１および放電灯９０に直流電流が供給される第
２期間Ｐ２が交互に繰り返される混合期間ＰＨ１に加えて、第３期間Ｐ３が設けられる。
第３期間Ｐ３においては、第１直流期間Ｐ３１と第２直流期間Ｐ３２とが設けられる。第
１直流期間Ｐ３１の長さｔ３１は、第２直流期間Ｐ３２の長さｔ３２よりも大きく、第２
直流期間Ｐ３２の長さｔ３２は、０．５ｍｓ（ミリ秒）よりも小さい。そのため、第３期
間Ｐ３においては、第１直流期間Ｐ３１において陽極となる側の電極を加熱することがで
きる。なお、以下の説明においては、加熱される側の電極が、例えば、第１電極９２であ
るものとして説明する。
【０１３６】
また、第１直流期間Ｐ３１の合計長さは、第２期間Ｐ２の長さｔ２よりも大きい。その
ため、第３期間Ｐ３において加熱される第１電極９２に加えられる熱負荷は、第２期間Ｐ
２において加熱される第１電極９２に加えられる熱負荷よりも大きい。
【０１３７】
このように、第３期間Ｐ３においては、第１期間Ｐ１あるいは第２期間Ｐ２に比べて、
第１電極９２に加えられる熱負荷が大きくなる。そのため、第１電極９２の突起５５２ｐ
が成長して電極間距離が小さくなり、ランプ電圧Ｖｌａが低下した場合に、第３期間Ｐ３
によって第１電極９２の突起５５２ｐの溶融度合いを上昇させることができる。これによ
り、突起５５２ｐを溶融させて、放電灯９０の電極間距離が小さくなり過ぎることを抑制
できる。したがって、放電灯９０が比較的劣化していない初期状態において、放電灯９０
の輝度が低くなることを抑制でき、かつ、水銀ブリッジが生じることを抑制できる。
【０１３８】
また、例えば、放電灯９０の第１電極９２には、ばらつきがある場合があり、同じ熱負
荷が加えられる場合であっても、放電灯９０ごとに第１電極９２の突起５５２ｐの成長度
合いが異なる場合がある。これにより、例えば、第３期間Ｐ３の長さｔ３が一定の場合、
放電灯９０によっては、第３期間Ｐ３において突起５５２ｐを十分に溶融できない場合が
ある。したがって、電極間距離が小さくなることを十分に抑制できず、ランプ電圧Ｖｌａ
が第１所定値Ｖｌａ１よりも小さい状態が維持される場合がある。このような場合、放電
灯９０の初期状態において維持されるランプ電圧Ｖｌａが放電灯９０によってばらつく場
合がある。ランプ電圧Ｖｌａがばらつくと、放電灯９０が搭載されるプロジェクター５０
０の輝度がばらつく問題がある。
【０１３９】
これに対して、本実施形態によれば、ランプ電圧Ｖｌａが第１所定値Ｖｌａ１よりも小
さい場合、制御部４０は、第３期間Ｐ３の長さｔ３を段階的に大きくする。そのため、ラ
ンプ電圧Ｖｌａが第１所定値Ｖｌａ１よりも小さい場合に、ランプ電圧Ｖｌａが第１所定
値Ｖｌａ１以上となるまで第３期間Ｐ３によって第１電極９２に加えられる熱負荷を大き
くしていくことができる。これにより、放電灯９０にばらつきが生じる場合であっても、
第３期間Ｐ３によって放電灯９０ごとに適切な熱負荷を加えることができ、ランプ電圧Ｖ
ｌａを第１所定値Ｖｌａ１に維持することが可能となる。
【０１４０】
より具体的には、図１５に示すように、放電灯９０の初期のランプ電圧Ｖｌａが第１所
定値Ｖｌａ１よりも大きいＶｌａ２の場合、初めて放電灯９０を点灯させた際においては
、駆動サイクルとして駆動サイクルＣ１が実行される。この場合、図１５に実線で示すよ
うに、ランプ電圧Ｖｌａは例えば徐々に低下し、第１所定値Ｖｌａ１よりも小さくなる。
そして、ランプ電圧Ｖｌａが第１所定値Ｖｌａ１よりも小さくなると駆動サイクルが駆動
サイクルＣ２に切り換えられ、第３期間Ｐ３が設けられる。制御部４０は駆動サイクルＣ
２において第３期間Ｐ３の長さｔ３を段階的に大きくする。そのため、放電灯９０のばら
つきによらず、第３期間Ｐ３の長さｔ３を最適な熱負荷を加えることができる長さにする
ことができ、ランプ電圧Ｖｌａを大きくすることができる。そして、ランプ電圧Ｖｌａが
第１所定値Ｖｌａ１以上となると、駆動サイクルは再び駆動サイクルＣ１に切り換えられ
、ランプ電圧Ｖｌａは再び徐々に低下し始める。このような挙動が繰り返されることで、
ランプ電圧Ｖｌａは、第１所定値Ｖｌａ１に維持される。
【０１４１】
また、放電灯９０の初期のランプ電圧Ｖｌａが第１所定値Ｖｌａ１よりも小さいＶｌａ
３の場合、初めて放電灯９０を点灯させた際においては、駆動サイクルとして駆動サイク
ルＣ２が実行される。この場合、第３期間Ｐ３が設けられ、第３期間Ｐ３の長さｔ３が段
階的に大きくされるため、放電灯９０のばらつきによらず、図１５に破線で示すようにラ
ンプ電圧Ｖｌａが上昇する。そして、ランプ電圧Ｖｌａが第１所定値Ｖｌａ１以上となる
と、駆動サイクルは駆動サイクルＣ１に切り換えられ、ランプ電圧Ｖｌａは徐々に低下し
始める。このような挙動が繰り返されることで、ランプ電圧Ｖｌａは、第１所定値Ｖｌａ
１に維持される。
【０１４２】
以上のようにして、放電灯９０のばらつきによらず、初期状態におけるランプ電圧Ｖｌ
ａを第１所定値Ｖｌａ１に維持することができる。したがって、放電灯９０のばらつきに
よらず、プロジェクター５００の輝度を所定の輝度に安定して維持することができる。
【０１４３】
また、例えば、放電灯９０の初期のランプ電圧Ｖｌａが第１所定値Ｖｌａ１以上で、か
つ、初めて放電灯９０を点灯させた後にランプ電圧Ｖｌａが徐々に上昇していくような場
合が考えられる。この場合、ランプ電圧Ｖｌａが第１所定値Ｖｌａ１よりも小さくならず
、ランプ電圧Ｖｌａを第１所定値Ｖｌａ１に維持できない場合がある。例えば、ランプ電
圧Ｖｌａが第１所定値Ｖｌａ１以上の場合に実行される駆動サイクルＣ１において、第１
電極９２に加えられる熱負荷が過剰に大きいような場合に、第１電極９２の突起５５２ｐ
が過度に溶融して電極間距離が大きくなり、ランプ電圧Ｖｌａが上昇する場合がある。
【０１４４】
これに対して本実施形態によれば、制御部４０は、ランプ電圧Ｖｌａが第１所定値Ｖｌ
ａ１以上の場合、第３期間Ｐ３が設けられないように放電灯駆動部２３０を制御する。そ
のため、ランプ電圧Ｖｌａが第１所定値Ｖｌａ１以上の場合において、駆動サイクルＣ１
によって第１電極９２に加えられる熱負荷を好適に小さくしやすい。これにより、放電灯
９０の初期状態における駆動サイクルＣ１の実行時に、突起５５２ｐを成長させてランプ
電圧Ｖｌａを徐々に低下させることができる。したがって、放電灯９０の初期のランプ電
圧Ｖｌａが第１所定値Ｖｌａ１以上の場合に、初期の状態からランプ電圧Ｖｌａが上昇し
ていくことを抑制でき、ランプ電圧Ｖｌａを第１所定値Ｖｌａ１に維持することができる
。
【０１４５】
また、本実施形態によれば、上述した駆動サイクルの切り換え制御は、累積点灯時間ｔ
ｔが第２所定値ｔｔ１以下の初期期間ＰＨＦにおいて行われる。そのため、放電灯９０の
電極間距離が小さくなりやすい放電灯９０の初期状態において、上述した切り換え制御を
行い、好適に電極間距離が小さくなり過ぎることを抑制できる。また、本実施形態では、
第２所定値ｔｔ１は、放電灯９０が劣化し始めてランプ電圧Ｖｌａが上昇し始める累積点
灯時間ｔｔである第３所定値ｔｔ２よりも小さい。そのため、放電灯９０が劣化し始めて
ランプ電圧Ｖｌａが上昇する前に、放電灯駆動部２３０の制御を他の適切な制御に切り換
えることが可能である。これにより、放電灯９０の寿命を向上させることができる。
【０１４６】
また、本実施形態によれば、駆動サイクルＣ１の実行中および駆動サイクルＣ２の実行
中においては、第４期間Ｐ４においてランプ電圧Ｖｌａが検出される。第４期間Ｐ４は、
第１期間Ｐ１において放電灯９０に供給される交流電流の第１周波数ｆ１よりも小さい第
２周波数ｆ２を有する交流電流が放電灯９０に供給される期間である。そのため、第４期
間Ｐ４においては、第１極性および第２極性に維持される時間がそれぞれ比較的長い。こ
れにより、各電極の状態が安定した状態となりやすく、ランプ電圧Ｖｌａを好適に検出し
やすい。
【０１４７】
また、本実施形態によれば、ランプ電圧Ｖｌａが第１所定値Ｖｌａ１よりも小さい場合
、第１所定間隔ごとに第３期間Ｐ３と第４期間Ｐ４とのうちのいずれか一方が設けられ、
第１所定間隔よりも大きい第２所定間隔で第４期間Ｐ４が設けられる。そのため、時間的
に隣り合う第４期間Ｐ４同士の間に、第３期間Ｐ３が設けられる。これにより、駆動サイ
クルＣ２における第４期間Ｐ４においてランプ電圧Ｖｌａを検出する場合、ランプ電圧Ｖ
ｌａを検出してから次にランプ電圧Ｖｌａを検出するまでの間に、少なくとも１つ以上の
第３期間Ｐ３を設けることができる。したがって、少なくとも１つ以上の第３期間Ｐ３に
よって第１電極９２に熱負荷が加えられた後に、駆動サイクルの切り換え判断を行うこと
ができる。その結果、駆動サイクルの切り換えを適切に行いやすい。
【０１４８】
また、本実施形態によれば、駆動サイクルの切り換え制御は、定常点灯期間において実
行される。そのため、駆動電力Ｗｄが安定し、第１電極９２の状態が安定した状態で、駆
動サイクルを切り換えることができる。
【０１４９】
なお、本実施形態においては、以下の構成および方法を採用することもできる。
【０１５０】
本実施形態において駆動サイクルＣ１は、特に限定されない。駆動サイクルＣ１は、第
１期間Ｐ１、第２期間Ｐ２、および第４期間Ｐ４のうちのいずれか１つ以上の期間を有し
ていなくてもよいし、第１期間Ｐ１、第２期間Ｐ２、および第４期間Ｐ４以外の期間を有
していてもよい。
【０１５１】
また、本実施形態において駆動サイクルＣ２は、混合期間ＰＨ１と第３期間Ｐ３とを有
していれば、特に限定されない。駆動サイクルＣ２は、第４期間Ｐ４を有していなくても
よいし、第１期間Ｐ１から第４期間Ｐ４以外の期間を有していてもよい。また、第１期間
Ｐ１と、第２期間Ｐ２と、第３期間Ｐ３と、第４期間Ｐ４とは、駆動サイクルＣ２内にお
いて、どのように設けられてもよい。例えば、上記の説明においては、第１期間Ｐ１と第
２期間Ｐ２とは、混合期間ＰＨ１において交互に連続して設けられる場合のみを説明した
が、これに限られず、それぞれ離れて設けられてもよい。また、例えば、第２期間Ｐ２と
第３期間Ｐ３、第２期間Ｐ２と第４期間Ｐ４、および第３期間Ｐ３と第４期間Ｐ４が、そ
れぞれ連続して設けられてもよい。
【０１５２】
また、本実施形態において、時間的に隣り合う混合期間ＰＨ１の間に設けられる第３期
間Ｐ３および第４期間Ｐ４は、第２期間Ｐ２の直後に設けられてもよい。
【０１５３】
また、本実施形態において駆動サイクルの切り換え制御は、初期期間ＰＨＦ以外の期間
において実行されてもよい。また、例えば、制御部４０は、ランプ電圧Ｖｌａに基づいて
、駆動サイクルの切り換え制御を実行するか否かを判断してもよい。
【０１５４】
また、駆動サイクルＣ１，Ｃ２におけるランプ電圧Ｖｌａの検出は、第４期間Ｐ４以外
の期間において行われてもよい。駆動サイクルＣ１，Ｃ２におけるランプ電圧Ｖｌａの検
出は、各駆動サイクルが実行されている間、常に行われていてもよい。
【０１５５】
また、本実施形態において第３期間Ｐ３の長さｔ３を段階的に大きくする仕方は、特に
限定されない。上述した例では、第３期間Ｐ３の長さｔ３を大きくするごとに、第１直流
期間Ｐ３１の数と第２直流期間Ｐ３２の数とを１つずつ多くしていくものとしたが、これ
に限られない。制御部４０は、例えば、第１直流期間Ｐ３１の長さｔ３１を大きくするこ
とで、第３期間Ｐ３の長さｔ３を大きくしてもよい。
【０１５６】
また、第３期間Ｐ３の長さｔ３の増加量は、一定でなくてもよく、第３期間Ｐ３の長さ
ｔ３を大きくするごとに異なってもよい。また、第３期間Ｐ３の長さｔ３の増加量は、駆
動サイクルＣ２の実行中におけるランプ電圧Ｖｌａの変化に応じて変化させてもよい。す
なわち、例えば、制御部４０は、第３期間Ｐ３の長さｔ３を大きくしてもランプ電圧Ｖｌ
ａが上昇しにくいような場合、次に第３期間Ｐ３の長さｔ３を大きくする際に、第３期間
Ｐ３の長さｔ３の増加量を大きくしてもよい。また、第３期間Ｐ３に含まれる複数の第１
直流期間Ｐ３１の長さｔ３１は、互いに異なっていてもよい。
【０１５７】
また、本実施形態において複数の第１周波数ｆ１は、どのように設けられてもよい。本
実施形態においては、例えば、第１期間Ｐ１において、時間的に後に設けられる交流期間
ほど、第１周波数ｆ１が大きくなる構成であってもよい。
【０１５８】
また、本実施形態において第１周波数ｆ１は、１つの周波数のみで構成されてもよい。
すなわち、本実施形態において第１期間Ｐ１における交流期間は、１種類のみであっても
よい。
【０１５９】
また、本実施形態において第１期間Ｐ１に含まれる各交流期間の長さは、互いに異なっ
ていてもよい。すなわち、第１交流期間Ｐ１１の長さｔ１１と、第２交流期間Ｐ１２の長
さｔ１２と、第３交流期間Ｐ１３の長さｔ１３と、第４交流期間Ｐ１４の長さｔ１４と、
は、互いに異なっていてもよい。
【０１６０】
また、上記説明においては、ある期間の終了極性と、ある期間の直後に設けられる期間
の開始極性とは、互いに異なる構成としたが、これに限られない。本実施形態においては
、ある期間の終了極性と、ある期間の直後に設けられる期間の開始極性とが同じであって
もよい。
【０１６１】
また、本実施形態において制御部４０は、混合期間ＰＨ１の第２期間Ｐ２において放電
灯９０に供給される直流電流の極性を、第２期間Ｐ２が設けられるごとに反転しなくても
よい。すなわち、本実施形態においては、放電灯９０に同じ極性の直流電流が供給される
第２期間Ｐ２が、２回以上連続して設けられてもよい。
【０１６２】
また、本実施形態において制御部４０は、第１直流期間Ｐ３１において放電灯９０に供
給される直流電流の極性および第２直流期間Ｐ３２において放電灯９０に供給される直流
電流の極性を、第３期間Ｐ３が設けられるごとに反転しなくてもよい。すなわち、本実施
形態においては、２回以上連続して、第１直流期間Ｐ３１において放電灯９０に供給され
る直流電流の極性および第２直流期間Ｐ３２において放電灯９０に供給される直流電流の
極性がそれぞれ同じである第３期間Ｐ３が設けられてもよい。
【０１６３】
また、本実施形態において制御部４０は、駆動サイクルＣ２において第３期間Ｐ３の長
さｔ３を大きくした後、ランプ電圧Ｖｌａが第１所定値Ｖｌａ１以上の場合に、駆動サイ
クルを駆動サイクルＣ２から駆動サイクルＣ１に戻す構成としたが、これに限らない。制
御部４０は、駆動サイクルＣ２において第３期間Ｐ３の長さｔ３を大きくした後、ランプ
電圧Ｖｌａが第１所定値Ｖｌａ１（第１電圧）よりも大きい第４所定値Ｖｌａ４（第２電
圧）以上となった場合に、駆動サイクルを駆動サイクルＣ２から駆動サイクルＣ１に戻し
てもよい。これにより、制御部４０は、ランプ電圧Ｖｌａが第１所定値Ｖｌａ１よりも大
きい第４所定値Ｖｌａ４以上となるまで第３期間Ｐ３を含む駆動サイクルＣ２および第３
期間Ｐ３の長さｔ３を大きくする処理を実行するため、ランプ電圧Ｖｌａをより確実に大
きくすることができる。すなわち、放電灯９０を、ランプ電圧Ｖｌａが第１所定値Ｖｌａ
１から、より低下し難い状態にすることができる。
【０１６４】
＜第２実施形態＞
第２実施形態は、第１実施形態に対して、初期期間ＰＨＦにおいて駆動サイクルが切り
換えられず、常に駆動サイクルＣ２が実行される点において異なる。すなわち、本実施形
態において制御部４０は、ランプ電圧Ｖｌａが第１所定値Ｖｌａ１以上の場合においても
、混合期間ＰＨ１と第３期間Ｐ３と第４期間Ｐ４とが設けられるように放電灯駆動部２３
０を制御する。本実施形態においてランプ電圧Ｖｌａが第１所定値Ｖｌａ１以上の場合に
おける第３期間Ｐ３は、例えば、図１１に示す第３期間Ｐ３Ａである。以下の説明におい
ては、第３期間Ｐ３Ａの長さｔ３を、第１長さと呼ぶ。すなわち、本実施形態においてラ
ンプ電圧Ｖｌａが第１所定値Ｖｌａ１以上の場合における第３期間Ｐ３の長さｔ３は、第
１長さである。
【０１６５】
図１６は、本実施形態における制御部４０の制御の一例を示すフローチャートである。
図１６に示すように、本実施形態において制御部４０は、駆動サイクルＣ２が開始される
（ステップＳ１１）と、第３期間Ｐ３の長さｔ３を第１長さに設定する（ステップＳ１２
）。言い換えると、制御部４０は、第３期間Ｐ３を第３期間Ｐ３Ａに設定する。
【０１６６】
そして、制御部４０は、ランプ電圧Ｖｌａが第１所定値Ｖｌａ１よりも小さいか否かを
判断する（ステップＳ１３）。ランプ電圧Ｖｌａが第１所定値Ｖｌａ１以上の場合（ステ
ップＳ１３：ＮＯ）、制御部４０は、第３期間Ｐ３の長さｔ３を第１長さとしたまま、駆
動サイクルＣ２を実行し続ける。一方、ランプ電圧Ｖｌａが第１所定値Ｖｌａ１よりも小
さい場合（ステップＳ１３：ＹＥＳ）、制御部４０は、第３期間Ｐ３の長さｔ３が上限値
よりも小さいか否かを判断する（ステップＳ１４）。第３期間Ｐ３の長さｔ３が第１長さ
に設定されている場合、第３期間Ｐ３の長さｔ３は上限値よりも小さい（ステップＳ１４
：ＹＥＳ）ため、制御部４０は、第３期間Ｐ３の長さｔ３を大きくする（ステップＳ１５
）。具体的には、例えば、制御部４０は、第３期間Ｐ３を図１３に示す第３期間Ｐ３Ｂに
する。
【０１６７】
第３期間Ｐ３の長さｔ３を大きくした後、制御部４０は、再びランプ電圧Ｖｌａが第１
所定値Ｖｌａ１よりも小さいか否かを判断し（ステップＳ１３）、ランプ電圧Ｖｌａが第
１所定値Ｖｌａ１よりも小さく（ステップＳ１３：ＹＥＳ）、第３期間Ｐ３の長さｔ３が
上限値よりも小さい場合（ステップＳ１４：ＹＥＳ）、再び第３期間Ｐ３の長さｔ３を大
きくする（ステップＳ１５）。このようにして、制御部４０は、ランプ電圧Ｖｌａが第１
所定値Ｖｌａ１よりも小さい場合、第３期間Ｐ３の長さｔ３を第１長さから段階的に大き
くする。
【０１６８】
制御部４０は、ランプ電圧Ｖｌａが第１所定値Ｖｌａ１よりも小さい場合において第３
期間Ｐ３の長さｔ３を大きくした後に、ランプ電圧Ｖｌａが第１所定値Ｖｌａ１以上とな
った場合（ステップＳ１３：ＮＯ）、第３期間Ｐ３の長さｔ３を第１長さに戻す（ステッ
プＳ１２）。
【０１６９】
本実施形態によれば、第１実施形態と同様に、放電灯９０の電極間距離が小さくなり過
ぎることを抑制できる。また、放電灯９０のばらつきによらず、初期状態におけるランプ
電圧Ｖｌａを第１所定値Ｖｌａ１に維持することができる。また、本実施形態によれば、
駆動サイクルを切り換える必要がないため、制御を簡便にできる。
【０１７０】
なお、本実施形態においてランプ電圧Ｖｌａが第１所定値Ｖｌａ１以上のときの第３期
間Ｐ３の長さｔ３、すなわち第１長さは、駆動電力Ｗｄに基づいて決められてもよい。例
えば、駆動電力Ｗｄが比較的小さい場合には、第１長さを比較的大きくし、駆動電力Ｗｄ
が比較的大きい場合には、第１長さを比較的小さくしてもよい。
【０１７１】
また、本実施形態において制御部４０は、ランプ電圧Ｖｌａが第１所定値Ｖｌａ１より
も小さい場合において第３期間Ｐ３の長さｔ３を大きくした後、ランプ電圧Ｖｌａが第１
所定値Ｖｌａ１以上の場合に、第３期間Ｐ３の長さｔ３を第１長さに戻す構成としたが、
これに限らない。第１実施形態と同様に、制御部４０は、ランプ電圧Ｖｌａが第１所定値
Ｖｌａ１よりも小さい場合において第３期間Ｐ３の長さｔ３を大きくした後、ランプ電圧
Ｖｌａが第１所定値Ｖｌａ１（第１電圧）よりも大きい第４所定値Ｖｌａ４（第２電圧）
以上となった場合に、第３期間Ｐ３の長さｔ３を第１長さに戻してもよい。これにより、
第１実施形態と同様に、放電灯９０を、ランプ電圧Ｖｌａが第１所定値Ｖｌａ１から、よ
り低下し難い状態にすることができる。
【０１７２】
なお、上記の各実施形態において、透過型のプロジェクターに本発明を適用した場合の
例について説明したが、本発明は、反射型のプロジェクターにも適用することも可能であ
る。ここで、「透過型」とは、液晶パネル等を含む液晶ライトバルブが光を透過するタイ
プであることを意味する。「反射型」とは、液晶ライトバルブが光を反射するタイプであ
ることを意味する。なお、光変調装置は、液晶パネル等に限られず、例えばマイクロミラ
ーを用いた光変調装置であってもよい。
【０１７３】
また、上記の各実施形態において、３つの液晶パネル５６０Ｒ，５６０Ｇ，５６０Ｂ（
液晶ライトバルブ３３０Ｒ，３３０Ｇ，３３０Ｂ）を用いたプロジェクター５００の例を
挙げたが、本発明は、１つの液晶パネルのみを用いたプロジェクター、４つ以上の液晶パ
ネルを用いたプロジェクターにも適用可能である。
【０１７４】
また、上記説明した各構成は、相互に矛盾しない範囲内において、適宜組み合わせるこ
とができる。
【符号の説明】
【０１７５】
１０…放電灯点灯装置（放電灯駆動装置）、４０…制御部、９０…放電灯、９２…第１
電極、９３…第２電極、２００…光源装置、２３０…放電灯駆動部、３３０Ｒ，３３０Ｇ
，３３０Ｂ…液晶ライトバルブ（光変調装置）、３５０…投射光学系、５００…プロジェ
クター、５０２，５１２Ｒ，５１２Ｇ，５１２Ｂ…画像信号、ｆ１，ｆ１１，ｆ１２，ｆ
１３，ｆ１４…第１周波数、ｆ２…第２周波数、Ｉ…駆動電流、Ｐ１…第１期間、Ｐ２…
第２期間、Ｐ３，Ｐ３Ａ，Ｐ３Ｂ，Ｐ３Ｃ…第３期間、Ｐ４…第４期間、Ｐ３１…第１直
流期間、Ｐ３２…第２直流期間、ＰＨ１…混合期間、ｔｔ…累積点灯時間、ｔｔ１…第２
所定値、Ｖｌａ…ランプ電圧（電極間電圧）、Ｖｌａ１…第１所定値
【図１】
2018073763.tif 000003
【図２】
2018073763.tif 000004
【図３】
2018073763.tif 000005
【図４】
2018073763.tif 000006
【図５】
2018073763.tif 000007
【図６Ａ】
2018073763.tif 000008
【図６Ｂ】
2018073763.tif 000009
【図７】
2018073763.tif 000010
【図８】
2018073763.tif 000011
【図９】
2018073763.tif 000012
【図１０】
2018073763.tif 000013
【図１１】
2018073763.tif 000014
【図１２】
2018073763.tif 000015
【図１３】
2018073763.tif 000016
【図１４】
2018073763.tif 000017
【図１５】
2018073763.tif 000018
【図１６】
2018073763.tif 000019